(57)【要約】 【課題】  構成が簡単で外見から容易に警報装置の位置を判別されず、また、侵入者がスイッチを操作しようとしても、容易に操作されない防犯性に優れた警報装置付きクレセント錠を提供する。【解決手段】  屋内側窓枠１に設けた取り付け台座２に設けたクレセント３と一体に回動する操作レバー４内にリードスイッチ６と円柱型永久磁石５を収納し、操作レバー４の回動と連動して円柱型永久磁石５を移動させることによりクレセント３が開錠されたことをリードスイッチ６により検知する。開錠されたと検知されると、クレセントから離れて配置された警報回路に信号が送られ警報音を鳴動させる。【選択図】  図１
2009249817.tif 000002
【特許請求の範囲】
【請求項１】
施錠状態を検知するセンサを有する警報装置付きのクレセント錠であって、クレセントと一体に回動する操作レバー内に前記センサを備えたことを特徴とする警報装置付きクレセント錠。
【請求項２】
前記センサはリードスイッチと永久磁石からなり、前記リードスイッチは、前記操作レバー内に固定され、前記永久磁石は、前記操作レバーの回動と連動して前記操作レバー内を移動することを特徴とする請求項１に記載の警報装置付きクレセント錠。
【請求項３】
前記操作レバーを回動させて前記クレセントを屋外側窓枠やドア枠に設けたクレセント受けに合わせて施錠すると、前記永久磁石は前記リードスイッチがオンもしくはオフとなる位置に移動し、前記クレセントを開錠すると、前記永久磁石は前記リードスイッチがオフもしくはオンとなる位置に移動することを特徴とする請求項１または２に記載の警報装置付きクレセント錠。
【請求項４】
前記永久磁石は、円柱型であることを特徴とする請求項１から３のいずれか１項に記載の警報装置付きクレセント錠。
【請求項５】
前記リードスイッチの前記永久磁石と対向する面以外を磁気シールドしたことを特徴とする請求項１から４のいずれか１項に記載の警報装置付きクレセント錠。
【発明の詳細な説明】
【技術分野】
【０００１】
本発明は、一般家庭や建物の窓枠やドアに取り付ける警報装置付きクレセント錠に関するものである。
【背景技術】
【０００２】
一般家庭や建物の窓枠やドアに用いられる錠において、クレセント錠が使用されている。窓枠の一方に取り付けられた回動するクレセントを、他方に取り付けられたクレセント受けと係合させることにより、簡単に施錠を行う事ができる。
【０００３】
クレセント錠としては、防犯等の目的で警報装置付きクレセント錠も実用化されている。例えば、特許文献１及び特許文献２には、電源部、異常検知センサ、マイコン、警報部、操作レバー（操作部）の回動を検出するマグネットスイッチ、電圧監視部、表示ランプからなる警報装置をケース状に構成した台座（錠基部）に装備し、操作レバーに永久磁石を設けた構成が開示されている。
【０００４】
この警報装置付きのクレセント錠の動作としては、警報装置を作動した状態でクレセントが回動されると、マグネットスイッチが操作レバーに設けた永久磁石からの磁気変化を検知し、マイコンへ開錠されたとの検知信号を出力し警報装置から警報音を鳴動させる。
【０００５】
以下に、従来のリードスイッチを用いた警報装置付きクレセント錠について図を参照して説明する。図７は、従来のリードスイッチを用いた警報装置付きクレセント錠の施錠状態の平面図である。図８は、従来のリードスイッチを用いた警報装置付きクレセント錠の施錠状態の側面図である。
【０００６】
従来のリードスイッチを用いた警報装置付きクレセント錠は、屋内側窓枠１に設けた取り付け台座２に、回転軸４３により一体となって回動するクレセント３と操作レバー４が取り付けられている。図７においてクレセント３は、屋内側窓枠１の左側に位置する屋外側窓枠のクレセント受け（図示せず）と係合されて、施錠された形態を表している。図７において、操作レバー４を時計回りに回動させることで開錠することができる。
【０００７】
警報装置１０１内には、警報回路とセンサ部（図示せず）が含まれ、警報回路は、防犯ブザーと電源スイッチを有しており、センサ部は、警報回路の電源スイッチをオンとした状態において、操作レバー４が施錠位置から回動された場合に警報回路に信号を送り防犯ブザーより警報音を鳴動させることができる。
【０００８】
警報装置１０１は、屋内側窓枠１の操作レバー４に近接した位置に配置されている。これは、警報装置１０１のセンサ部を駆動させるためのセンサであるリードスイッチ６がプリント基板７に実装され、操作レバー４を回動することによって操作レバー４内に装着された永久磁石５１が、このリードスイッチ６をオンオフさせる必要があるためである。    
【０００９】
施錠された状態で警報装置１０１を作動させると、図７、図８に示したように、施錠された操作レバー４内の永久磁石５１と対向した位置にリードスイッチ６が実装されているので、リードスイッチ６に操作レバー４内の永久磁石５１から強い磁界が加わり施錠状態であると検知する事ができる。操作レバー４が図７において時計回りに回動され開錠されると永久磁石５１も回動するのでリードスイッチ６に加わる磁界が弱まり、開錠されことが検知されて警報回路へ信号が送られ、警報音を鳴動させることができる。
【００１０】
【特許文献１】特開２００５−１１３６３７号公報
【特許文献２】特開２００５−９１９５号公報
【発明の開示】
【発明が解決しようとする課題】
【００１１】
従来の警報装置付きのクレセント錠の構成では、警報装置はクレセントの近傍に設置してあるので、侵入者が警報装置のスイッチをオフにすることが比較的に容易であった。また、侵入者に永久磁石を用いたセンサが取り付けられていることが判別されると、侵入者がリードスイッチを誤動作させて警報装置を操作される可能性がある。
【００１２】
本発明が解決しようとする課題は、構成が簡単で外見から容易にセンサの位置を判別されず、また、侵入者がスイッチを操作しようとしても、容易に操作されない防犯性に優れた警報装置付きクレセント錠を提供する事である。
【課題を解決するための手段】
【００１３】
本発明は、施錠状態を検知するセンサを有する警報装置付きのクレセント錠であって、クレセントと一体に回動する操作レバー内に前記センサを備えたことを特徴とする警報装置付きクレセント錠である。
【００１４】
前記センサはリードスイッチと永久磁石からなり、前記リードスイッチは、前記操作レバー内に固定され、前記永久磁石は、前記操作レバーの回動と連動して前記操作レバー内を移動することを特徴とする上記の警報装置付きクレセント錠である。
【００１５】
前記操作レバーを回動させて前記クレセントを屋外側窓枠やドア枠に設けたクレセント受けに合わせて施錠すると、前記永久磁石は前記リードスイッチがオンもしくはオフとなる位置に移動し、前記クレセントを開錠すると、前記永久磁石は前記リードスイッチがオフもしくはオンとなる位置に移動することを特徴とする上記の警報装置付きのクレセント錠である。
【００１６】
前記永久磁石は、円柱型であることを特徴とする上記の警報装置付きのクレセント錠である。
【００１７】
前記リードスイッチの前記永久磁石と対向する面以外を磁気シールドしたことを特徴とする上記の警報装置付きのクレセント錠である。
【発明の効果】
【００１８】
本発明の警報装置付きクレセント錠によれば、構成が簡単で警報装置の回路とセンサとの位置関係を考慮せずにクレセントの動きのみで施錠状態を検知することを可能とし、クレセントから離れた位置に警報装置の回路を配置できるので、警報装置付きクレセント錠であることも容易に判別できない。従って、侵入者が警報装置をオフにすることが難しい防犯性に優れたクレセント錠を実現することができる。
【００１９】
また、侵入者に永久磁石を用いたセンサが取り付けられていることが判別され、誤動作させようとしても容易に操作ができない防犯性に優れた警報装置付きクレセント錠を実現することができる。
【発明を実施するための最良の形態】
【００２０】
本発明の実施の形態について、図を用いて説明する。図１は、第１の実施の形態の警報装置付きクレセント錠の施錠状態の平面図である。図２は、第１の実施の形態の警報装置付きクレセント錠の施錠状態の側面図である。図３は、第１の実施の形態の警報装置付きクレセント錠の開錠状態の平面図である。図４は、第１の実施の形態の警報装置付きクレセント錠の開錠状態の側面図である。
【００２１】
本発明の第１の実施の形態の警報装置付きクレセント錠は、従来のリードスイッチを用いた警報装置付きクレセント錠と同様に、図２、図４に示すように、屋内側窓枠１に設けた取り付け台座２に、回転軸４３により一体となって回動するクレセント３と操作レバー４が取り付けられている。クレセント３と一体に回動する操作レバー４は、図１、図３において時計回りに回動させることができ、図１、図２は施錠状態を示し、図３、図４は開錠状態を示している。
【００２２】
操作レバー４内にセンサ部を構成するリードスイッチ６と円柱型永久磁石５を収納する。リードスイッチ６は、リードスイッチ収納部４２に、プリント基板７に実装されて収納されている。プリント基板７からは、図２、図４に示すように、リード線８が延び、コネクタ８１が接続されている。リード線８は外部に目立たないように窓枠等に内蔵させて配線するほうが、外観上、防犯上から望ましい。円柱型永久磁石５は、磁石収納部４１に収納されている。磁石収納部４１は、操作レバー４の長手方向に沿って空洞を形成している。空洞の幅と深さは円柱型永久磁石５の直径よりやや大きく、円柱型永久磁石５が、操作レバーの回動によって磁石収納部４１内を移動することができるようになっている。
【００２３】
本発明の警報装置付きクレセント錠の警報装置（図示せず）は、警報回路とセンサ部から構成されている。警報回路は機能的には取り付け位置を選ばないが、屋内側窓枠１の下部又は上部等のクレセント３から離れた位置に取り付けるのが望ましく、コネクタ８１によって、クレセント３と一体に回動する操作レバー４内に収納されたセンサ部を構成するリードスイッチ６から延びたリード線８と接続される。警報回路は、防犯ブザーと電源スイッチを有し、操作レバー４が施錠位置から回動されると内部に配置されたリードスイッチ６と円柱型永久磁石５からなるセンサ部が開錠されたと判断して警報回路に信号を送り警報音を鳴動させることができように構成する。さらに警報回路には、リードスイッチ６と接続されたリード線８が切断された場合に警報音を鳴動させる状態を持たせることにより防犯機能が向上する。
【００２４】
ここで、クレセント３と一体に回動する操作レバー４内に収納されたセンサ部を構成するリードスイッチ６と円柱型永久磁石５の動作について説明する。図１、図２において、クレセント３は、屋内側窓枠１の左側に位置する屋外側窓枠のクレセント受け（図示せず）に係合させて施錠された形態を表している。円柱型永久磁石５は、磁石収納部４１内を操作レバー４の回動と連動して動き、クレセントが施錠状態にて円柱型永久磁石５はリードスイッチ６に最も近い位置に移動するので、リードスイッチ６に大きな磁界が加わり、施錠状態であると検知する事ができる。
【００２５】
次に、図３、図４において、クレセント３は、図１、図２の形態から時計周りに回動させて、屋内側窓枠１の左側に位置する屋外側窓枠のクレセント受け（図示せず）から離れ、開錠された形態を表している。円柱型永久磁石５は、磁石収納部４１内を操作レバー４の回動と連動して動き、クレセント３が開錠状態にて円柱型永久磁石５はリードスイッチ６から最も離れた位置に移動し、リードスイッチ６へ加わる磁界が弱まり、開錠されたと検知する事ができる。この開錠されたとの検知信号が警報装置のスイッチがオン状態の時に警報回路に送られた場合には警報回路から警報音を鳴動させるように構成できる。
【００２６】
例えば、厚み２０ｍｍ程度の屋内側窓枠１に、半径１５ｍｍ程度のクレセント３を設置する場合には、操作レバー４は、非磁性の材質で幅８ｍｍ、長さ４０ｍｍ、高さ２０ｍｍ程度となる。操作レバー４内に設置される円柱型永久磁石５の１例としては、フェライト磁石を用いて外径φ３．０ｍｍ、長さ８ｍｍ程度で実現できる。操作レバー４内の磁石収納部４１は幅と深さ４ｍｍ、長さ１２ｍｍ程度の空洞となる。円柱型永久磁石５の材質はフェライト磁石でなくとも良く、操作レバー４の寸法は小さく作製することも可能である。
【００２７】
リードスイッチ６は、ガラス管の外径φ２．０ｍｍ、長さ７．５ｍｍ程度で感動値は２０（Ａ）程度のものが望ましい。ここで感動値とは、リードスイッチの感度を表し、接点部をコイルの発生する磁界で動作させる場合の電流値（Ａ）とコイル巻数（Ｔ）の積であり、単位はＡ（アンペア）である。なお、リードスイッチに磁石が近づいた場合と離れた場合のオン、オフは、オン、オフが切り変わるものであれば、警報回路の信号処理の問題であるので、どちらでもよい。
【００２８】
次に、図５は、第２の実施の形態の警報装置付きクレセント錠の施錠状態の平面図である。図６は、第２の実施の形態の警報装置付きクレセント錠の施錠状態の側面図である。本発明の第２の実施の形態の警報装置付きクレセント錠は、第１の実施の形態の警報装置付きクレセント錠と同様に、図６に示すように屋内側窓枠１に設けた取り付け台座２に、回転軸４３により一体となって回動するクレセント３と操作レバー４が取り付けられている。クレセント３と一体に回動する操作レバー４は、図５において時計回りに回動させることができる。警報装置の構成は、第１の実施の形態の警報装置付きクレセント錠と同様である。
【００２９】
操作レバー４内にセンサ部を構成するリードスイッチ６と円柱型永久磁石５が収納される。第１の実施の形態の警報装置付きクレセント錠と同様に、リードスイッチ６は、リードスイッチ収納部４２に、プリント基板７に実装されて収納されている。リードスイッチ収納部４２の内壁には円柱型永久磁石５と対向する面以外に磁気シールド板９を設けている。この磁気シールド板９は鋼板等磁気を遮蔽する性質があれば材質は問わない。プリント基板７からは、図６に示すように、リード線８が延び、コネクタ８１が接続されている。円柱型永久磁石５は、磁石収納部４１に収納されている。磁石収納部４１は、操作レバー４の長手方向に沿って空洞を形成している。空洞の幅と深さは円柱型永久磁石５の直径よりやや大きく、円柱型永久磁石５が、操作レバーの回動によって磁石収納部４１内を移動する事が可能である。
【００３０】
ここで、クレセント３と一体に回動する操作レバー４内に収納されたセンサ部を構成するリードスイッチ６と円柱型永久磁石５の動作は第１の実施の形態の警報装置付きクレセント錠と同様である。図５、図６において、クレセント３は、屋内側窓枠１の左側に位置する屋外側窓枠のクレセント受け（図示せず）に係合させて、施錠された形態を表している。円柱型永久磁石５は、磁石収納部４１内を操作レバー４の回動と連動して動き、クレセントが施錠状態にて円柱型永久磁石５はリードスイッチ６に最も近い位置に移動するので、リードスイッチ６に大きな磁界が加わり施錠状態であると検知することができる。
【００３１】
ここで、第２の実施の形態の警報装置付きクレセント錠では、リードスイッチ６の円柱型永久磁石５と対向する面以外の周囲を磁気シールド板９にて覆っている。また、磁気シールド板９内にリードスイッチ６と円柱型永久磁石５を配置しても良い。このような構成とすることにより、リードスイッチ６には、円柱型永久磁石５からのみ磁界が加わるようになるため、外部磁界の影響をあまり受けないように構成でき誤動作の防止ができる。
【図面の簡単な説明】
【００３２】
【図１】第１の実施の形態の警報装置付きクレセント錠の施錠状態の平面図。
【図２】第１の実施の形態の警報装置付きクレセント錠の施錠状態の側面図。
【図３】第１の実施の形態の警報装置付きクレセント錠の開錠状態の平面図。
【図４】第１の実施の形態の警報装置付きクレセント錠の開錠状態の側面図。
【図５】第２の実施の形態の警報装置付きクレセント錠の施錠状態の平面図。
【図６】第２の実施の形態の警報装置付きクレセント錠の施錠状態の側面図。
【図７】従来のリードスイッチを用いた警報装置付きクレセント錠の施錠状態の平面図。
【図８】従来のリードスイッチを用いた警報装置付きクレセント錠の施錠状態の側面図。
【符号の説明】
【００３３】
１    屋内側窓枠
２    取り付け台座
３    クレセント
４    操作レバー
５    円柱型永久磁石
６    リードスイッチ
７    プリント基板
８    リード線
９    磁気シールド板
４１    磁石収納部  
４２    リードスイッチ収納部
４３    回転軸
５１    永久磁石
８１    コネクタ
１０１    警報装置
【図１】
2009249817.tif 000003
【図２】
2009249817.tif 000004
【図３】
2009249817.tif 000005
【図４】
2009249817.tif 000006
【図５】
2009249817.tif 000007
【図６】
2009249817.tif 000008
【図７】
2009249817.tif 000009
【図８】
2009249817.tif 000010